(57)【特許請求の範囲】
【請求項１】
ロータリカバーの後端部とリヤカバーの前端部とを中間カバーを介して連結し、リヤカバーをロータリカバーおよび中間カバーとともに耕耘軸を中心に前後回動自在に構成したロータリ耕耘機のカバー体において、上記中間カバーの中央部上面に開口部をロータリカバー側に向けて平面視コ字状に形成したブラケットを固設するとともに、上記ブラケットの前端部で中間カバーとロータリカバーの後端部とを支持し、かつブラケットの後端部でリヤカバーの前端部を支持するように構成したことを特徴とするロータリ耕耘機におけるカバー体の連結構造。
【請求項２】
中間カバーに固設した上記ブラケットの前端部をロータリカバーの中央後部に固設したブラケットに穿設した前後方向の長穴に連結ピンを介して枢支し、中間カバーの回動支点を上記長穴内で、摺動可能に支持したことを特徴とする請求項１記載のロータリ耕耘機におけるカバー体の連結構造。
【発明の詳細な説明】
【０００１】
【発明の属する技術分野】
本発明は、ロータリ耕耘機におけるカバー体の連結構造に係り、詳しくは、中間カバーに固設したブラケットによって、中間カバーとロータリカバーの後端部とを支持するとともに、中間カバーとリヤカバーの前端部とを支持するようにし、構造が簡単でありながら、強度的に優れたカバー体の連結構造に関するものである。
【０００２】
【従来の技術】
従来、トラクタの後部に装着されるロータリ耕耘機には、ロータリカバーの後端部にリヤカバーが連結され、耕耘軸を中心にロータリカバーを前後回動させることにより、リヤカバーを作業条件に適応した位置に回動調節して耕耘作業を行っているが、耕耘土塊の持回りや後方への流れを円滑にするためには、リヤカバーの下方空間の懐を深くする必要から、ロータリカバーの後端部に中間カバーを連結し、中間カバーの後端部にリヤカバーを連結して耕耘作業を行っている。
【０００３】
ところが、従来のロータリカバーと中間カバーおよびリヤカバーは、それぞれ両端で軸支して連結されているので、リヤカバーを作業条件に適応した位置に調節するために、ロータリカバーを前後回動させると、軸支部が強度的に曲げ荷重に対して弱く、中央部が変形し易くなるという不具合があり、一方強度を確保するために板厚を厚くして補強すると、重量が重くなって前後回動操作が円滑にできなくなるという不具合もある。
【０００４】
【発明が解決しようとする課題】
本発明は上記のような実状に鑑み、従来の不具合を解決すべく創案されたものであって、その意図するところは、中間カバーにブラケットを固設し、該ブラケットを支持部材としてロータリカバーと中間カバーとを支持するとともに、リヤカバーと中間カバーとを支持することにより、構造が簡単で軽量化ができ、しかも強度的に優れたロータリ耕耘機におけるカバー体の連結構造を提供することを課題とするものである。
【０００５】
【課題を解決するための手段】
上記課題を解決するため、本発明が採用した第１の技術手段は、ロータリカバーの後端部とリヤカバーの前端部とを中間カバーを介して連結し、リヤカバーをロータリカバーおよび中間カバーとともに耕耘軸を中心に前後回動自在に構成したロータリ耕耘機のカバー体において、上記中間カバーの中央部上面に開口部をロータリカバー側に向けて平面視コ字状に形成したブラケットを固設するとともに、上記ブラケットの前端部で中間カバーとロータリカバーの後端部とを支持し、かつブラケットの後端部でリヤカバーの前端部を支持するように構成したことを特徴とするものである。
【０００６】
本発明が採用した第２の技術手段は、中間カバーに固設した上記ブラケットの前端部をロータリカバーの中央後部に固設したブラケットに穿設した前後方向の長穴に連結ピンを介して枢支し、中間カバーの回動支点を上記長穴内で、摺動可能に支持したことを特徴とするものである。
【０００７】
【発明の実施の形態】
本発明の実施の形態を添付図面に基づいて詳細に説明する。図１ないし図６において、１はトラクタ、２はトラクタ１の後部に連結されたロータリ耕耘機であって、該ロータリ耕耘機２は機体の中央部にギヤケース３が固設され、その上部には側面視略Ｖ字状に形成された２枚の板材からなる側板４ａ、４ｂを所要の間隔を存して対向状に立設してなるトップマスト４が固定されている。該トップマスト４は、その前方側上部がトラクタ１に設けたオートヒッチ５に連結ピン６を介して連結されており、後部側上部には図示しない尾輪や畦立器７ａなどを装着するためのツールバー７がネジ式調節装置８を介して上下角度調節自在に支持されている。
【０００８】
９は機体の一側に配設されたチェンケースであって、該チェンケース９はギヤケース３から左右に延設されたアーム１０の一端に固設されており、該チェンケース９とアーム１０の他端に固定されたサイドプレート１１とによって、耕耘爪１２ａを装着した耕耘軸１２が支持され、該耕耘軸１２がチェンケース９に内装した伝動機構により回転駆動されるようになっている。
【０００９】
１３は耕耘軸１２にし装着した耕耘爪１２ａの回転軌跡の上方を覆うロータリカバーであって、該ロータリカバー１３は側面視円弧状に形成した天板１３ａと、その左右両側に形成した側板１３ｂとからなり、耕耘軸１２を中心に前後回動自在に構成されている。ロータリカバー１３の中央後部上面には補強板１４ａが固設され、該補強板１４ａを介してロータリカバー１３の前後回動を支持するブラケット１４が、その後部側をロータリカバー１３の後端部より後方に突出させた状態で固設されている。ブラケット１４は２枚の板材によって形成した側板１４ｂ、１４ｃを所要の間隔を存して対向状に立設して構成され、それぞれの側板１４ｂ、１４ｃには前後方向の長穴１４ｄ、１４ｄが穿設されている。
【００１０】
上記ロータリカバー１３の後端部には断面略楕円形のパイプからなる中間カバー１５が回動自在に装着されており、該中間カバー１５の後端部には耕深を検出するリヤカバー１６が後方下方に延設されている。上記中間カバー１５の両端面には中空部を塞ぐ側板１５ａが固設されており、該側板１５ａはハンドル１７に軸支したロックピン１８をロータリカバー１３の側板１３ｂに設けた上下２箇所の穴１９、２０に挿入することにより、上下２段に選択的に固定できるようになっている。また、中間カバー１５には左右２箇所に吊持用ブラケット２１が固設されており、該ブラケット２１とリヤカバー１６側に設けたブラケット１６ａとを介してリヤカバー１６の吊りロッド２２が上下移動自在に支持されている。
【００１１】
２３は中間カバー１５の中央部上面に固設されたブラケットであって、該ブラケット２３は比較的肉厚の薄い板材で開口部２３ａをロータリカバー１３側に向けて平面視コ字状に形成されており、その両側板２３ｂ、２３ｃをロータリカバー１３のブラケット１４の両側板１４ｂ、１４ｃの外側に位置させた状態で、前端部側を上記ブラケット１４の両側板１４ｂ、１４ｃに穿設した前後方向の長穴１４ｄ、１４ｄに連結ピン２４を介して連結し、中間カバー１５の回動支点を摺動自在に支持するとともに、閉塞部側の面部２３ｄにリヤカバー１６の前端部を回動可能に支持する取付金具２５が緊締具２６を介して固設されている。
【００１２】
上記ブラケット１４の近傍には側面視逆Ｌ字状の支持部材２７が固設されており、該支持部材２７にはゴム製の緩衝材２８が設けられている。緩衝材２８はロータリカバー１３とともに、中間カバー１５およびリヤカバー１６を前方に回動した際、ギヤケース３に当接してガタ付きを防止するものである。
【００１３】
図７はロータリカバー１３の前後回動構成を示すものであって、トップマスト４の下方部に側方から側板４ｂ、４ａに向けて支軸２９を回動自在に貫通軸架し、該支軸２９にトップマスト４の側板４ａ、４ｂ間に位置させた作動アーム３０の基端部を固設するとともに、作動アーム３０の先端部は、基端部をロータリカバー１３のブラケット１４の側板１４ｂ、１４ｃ間にピン３１を介して連結したロッド３２の先端部にピン３３を介して連結されている。
【００１４】
上記支軸２９には操作レバー３４がその基端部に固定した二股状の取付体３４ａによって前後方向（回動方向）から挟持した状態で連結ピン３５を介して前後回動自在に連結されているとともに、該連結ピン３５には付勢弾機３６が捲装されている。上記付勢弾機３６は支軸２９を中心としてその前後に突出した連結ピン３５の一端側から他端側へ支軸２９の底部を経て一体的に捲装されたコイル弾機によって形成され、その前後余長部はそれぞれ立上り状に折曲させて、二股状の取付体３４ａに係止させてある。
【００１５】
３７はトップマスト４の一側上部に固設された側面視円弧状のガイド孔であって、このガイド孔３７にはリヤカバー１６が標準耕の耕深を検出する位置に操作レバー３４を係止する係止部３７ａ、リヤカバー１６が代掻き、浅耕などを検出する位置に操作レバー３４を係止する係止部３７ｂが形成されている。そして、操作レバー３４が係止部３７ａ、３７ｂに係止されると、付勢弾機３６の付勢力により強固に弾持されて、耕耘作業中機体の振動などによって外れることがないようにしてある。
【００１６】
叙上の構成において、いま、ロータリ耕耘機２を使用して耕耘作業を行う場合には、トラクタ１の後部にロータリ耕耘機２を装着し、リヤカバー１６を標準耕、代掻き、浅耕、畦立など、作業条件に適応した耕深を検出する位置に調節する。リヤカバー１６の調節は、作業者がトラクタ１に搭乗したまま操作レバー３４を前後方向へ操作するのみで、簡単に行うことができる。
【００１７】
すなわち、操作レバー３４をガイド孔３７に沿って前方へ操作すると、支軸２９の前方へ回動に伴って作動アーム３０が前方に回動し、その先端部に連結ピン３３を介して連結されたロッド３２がロータリカバー１３を耕耘軸１２周りに前方に回動させてリヤカバー１６の下端部を上動させ、操作レバー３４の中間部が係止部３７ａに係止すると、リヤカバー１６は標準耕に適応した耕深を検出する位置に調節保持される。
【００１８】
一方、浅耕や代掻きを行う場合は、操作レバー３４をガイド孔３７に沿って後方へ操作すると、支軸２９の後方への回動に伴って作動アーム３０が後方に回動し、その先端部に連結ピン３３を介して連結されたロッド３２がロータリカバー１３を耕耘軸１２周りに後方に回動させてリヤカバー１６の下端部を下動させ、操作レバー３４の中間部が係止部３７ｂに係止すると、リヤカバー１６は浅耕や代掻き作業に適応した耕深を検出する位置に調節保持される。
【００１９】
なお、畦立作業を行う場合は、操作レバー３４を前方に回動させてリヤカバー１６の下端部を上動させるとともに、ネジ式調節装置８を操作してツールバー７の上下角度を上方へ調節したうえ、畦立器７ａを装着して作業を行えばよい。
【００２０】
上記操作レバー３４の操作により、耕耘軸１２を中心にロータリカバー１３、中間カバー１５およびリヤカバー１６が前後回動されると、各カバーの連結部は前後回動過程で曲げ荷重を受けることになる。
ところが、中間カバー１５の中央部上面にはブラケット２３が固設されており、ロータリカバー１３と中間カバー１５との連結は、中間カバー１５に固設したブラケット２３の前端部がロータリカバー１３の中央後部に固設したブラケット１４に穿設した前後方向の長穴１４ｄに連結ピン２４を介して摺動自在に枢支された状態で連結されているとともに、中間カバー１５とリヤカバー１６との連結は、上記ブラケット２３の後端部が取付金具２５を介してリヤカバー１６の前端部に連結されているので、各レバーの連結部が受ける曲げ荷重は、中間カバー１５の回動支点の前後方向への移動によって軽減され、連結部には無理な曲げ荷重を受ける慣れがなく、簡単な構造でありながら、強度的に優れた連結構造とすることができる。
このため、中間カバー１５のブラケット２３は比較的肉厚の薄い板材でよいので軽量化ができ、操作レバー３４の前後回動操作も円滑にできる。
【００２１】
【発明の効果】
以上の説明によって明らかなように、本発明によれば、中間カバーのブラケットによって中間カバーとロータリカバーの後端部とを支持するとともに、中間カバーとリヤカバーの前端部を支持し、特に中間カバーのブラケットの前端部をロータリカバーのブラケットに穿設した前後方向の長穴に連結ピンを介して枢支し、中間カバーの回動支点を摺動可能に支持するようにしたものであるから、作業条件に適応した耕深を検出する位置にリヤカバーを調節すべく前後回動させた際、各カバーの連結部が受ける曲げ荷重は、中間カバーの回動支点の前後方向への移動によって軽減することができ、連結部には無理な曲げ荷重を受ける惧れがない。したがって、簡単な構造でありながら、強度的に優れた連結構造とすることができる許りでなく、中間カバーのブラケットも比較的肉厚の薄い板材でよいので軽量化ができ、コストの低減も図ることができる。
【図面の簡単な説明】
【図１】深耕作業時におけるロータリ耕耘機の全体側面図
【図２】畦立作業時におけるロータリ耕耘機の全体側面図
【図３】代掻き作業時におけるロータリ作業機の全体側面図
【図４】ロータリ耕耘機の全体斜視図
【図５】要部の側面図
【図６】同上平面図
【図７】ロータリカバーの前後回動構成を示す側面図
【符号の説明】
２      ロータリ耕耘機
１２    耕耘軸
１３    ロータリカバー
１４    ブラケット
１４ｄ  長穴
１５    中間カバー
１６    リヤカバー
２３    ブラケット
２４    連結ピン
【図１】
0003693830.tif 000002
【図２】
0003693830.tif 000003
【図３】
0003693830.tif 000004
【図４】
0003693830.tif 000005
【図５】
0003693830.tif 000006
【図６】
0003693830.tif 000007
【図７】
0003693830.tif 000008